(57)【要約】【課題】視聴者が、膨大な番組の中から視聴したい番組を探す手間がかかるという問題点を解決するテレビジョン受信機を提供することを目的とする。【解決手段】テレビジョン受信機１００は、テレビジョン信号に含まれるアクセス情報に基づきユーザが認識できるアクセス情報を作成し、ユーザからの指示に応じて、作成したプロモーション情報の提示画面を番組表と合成し、テレビジョン映像に重畳して、あるいはテレビジョン映像と共にテレビジョン画面に表示することにより、視聴者がプロモーション情報を番組表を用いて選択し視聴する。【選択図】図７
2005130075.tif 000002
【特許請求の範囲】
【請求項１】
テレビジョン信号に基づきテレビジョン番組を求め、求めたテレビジョン番組をテレビジョン画面に表示するテレビジョン放送受信手段と、番組情報に基づき、番組表を求め、求めた番組表をテレビジョン画面に表示する番組表情報受信手段と、テレビジョン番組を宣伝するために送信される、プロモーション情報にアクセスするためのアクセス情報を受信するアクセス情報受信手段と、前記アクセス情報に基づきアクセス可能なプロモーション情報を求め、求めたアクセス可能なプロモーション情報を、前記番組表に組み込み、テレビジョン番組と対応付けて表示するよう制御する制御手段とを備えたテレビジョン受信機。
【請求項２】
前記アクセス情報受信手段は、テレビジョン信号から、あるいは、通信網を介して前記アクセス情報を取得し、前記番組情報に含まれている各テレビジョン番組の、前記アクセス情報を取得することを特徴とする請求項１に記載のテレビジョン受信機。
【請求項３】
前記制御手段は、各テレビジョン番組において、プロモーション情報を表示することを特徴とする請求項２に記載のテレビジョン受信機。
【請求項４】
前記制御手段は、プロモーション情報を示すリストを含んだ番組表を作成することを特徴とする請求項３に記載のテレビジョン受信機。
【請求項５】
前記制御手段は、プロモーション情報を示すアイコンを含んだ番組表を作成することを特徴とする請求項３に記載のテレビジョン受信機。
【請求項６】
前記制御手段は、前記アクセス可能なプロモーション情報を示すアイコンを含んだ番組内容画面を、縮小された前記テレビジョン番組と共に、前記テレビジョン画面に表示することを特徴とする請求項２に記載のテレビジョン受信機。
【請求項７】
前記制御手段は、表示されているテレビジョン番組について、前記アクセス情報を取得することを特徴とする請求項６に記載のテレビジョン受信機。
【請求項８】
ユーザからの指示を入力するための入力手段と、前記アクセス情報を用いてプロモーション情報を求め、求めたプロモーション情報をテレビジョン画面に表示するプロモーション情報受信手段とを備え、前記制御手段は、プロモーション情報を表示する指示を認識した場合に、プロモーション情報を求め表示するように制御することを特徴とする請求項１記載のテレビジョン受信機。
【請求項９】
前記プロモーション情報は、番組のプレビューコンテンツであることを特徴とする請求項８記載のテレビジョン受信機。
【請求項１０】
前記制御手段は、プレビューコンテンツの縮小画面と、プレビューコンテンツの再生操作パネルとを有する表示画面を表示することを特徴とする請求項９記載のテレビジョン受信機。
【請求項１１】
前記プロモーション情報は、番組の評論文であることを特徴とする請求項８記載のテレビジョン受信機。
【請求項１２】
前記制御手段は、評論文の縮小画面と、評論家名とを有する表示画面を表示することを特徴とする請求項１１記載のテレビジョン受信機。
【請求項１３】
前記プロモーション情報は、番組のランキングであることを特徴とする請求項８記載のテレビジョン受信機。
【請求項１４】
前記制御手段は、番組表を並び替える指示を認識した場合に、前記アクセス可能なプロモーション情報を基に番組表を並び替える制御を行うことを特徴とする請求項８記載のテレビジョン受信機。
【請求項１５】
前記制御手段は、番組表を並び替える指示を認識した場合、並び替えの条件として前記アクセス可能なプロモーション情報を選択させるよう提示することを特徴とする請求項１４記載のテレビジョン受信機。
【請求項１６】
前記アクセス情報は、プロモーション情報のタイトルと、種別と、リンク先ＵＲＩと、有効期限とを備えることを特徴とする請求項１記載のテレビジョン受信機。
【請求項１７】
テレビジョン放送受信手段が受信した前記テレビジョン番組を蓄積する蓄積手段と、番組表情報受信手段が受信した前記番組情報を記憶する番組表情報記憶手段と、アクセス情報受信手段が受信した前記アクセス情報を記憶するアクセス情報記憶手段とを備え、前記制御手段は蓄積した個々のテレビジョン番組の所在と記憶した個々のアクセス情報の所在とを記憶した個々の番組情報と対応付けるよう制御することを特徴とする請求項１記載のテレビジョン受信機。
【請求項１８】
前記制御手段は、前記アクセス可能なプロモーション情報を示すアイコンを含んだ番組表を作成し、作成した番組表を前記テレビジョン画面に表示することを特徴とする請求項１７に記載のテレビジョン受信機。
【請求項１９】
前記制御手段は、前記アクセス可能なプロモーション情報を示すリストを含んだ番組表を作成し、作成した番組表を前記テレビジョン画面に表示することを特徴とする請求項１７に記載のテレビジョン受信機。
【請求項２０】
前記制御手段は、前記アクセス可能なプロモーション情報を示すアイコンを含んだ番組内容画面を、縮小された前記テレビジョン映像と共に、前記テレビジョン画面に表示することを特徴とする請求項１７に記載のテレビジョン受信機。
【請求項２１】
前記制御手段は、表示されているテレビジョン番組について、前記アクセス情報を前記アクセス情報記憶手段より読み出すことを特徴とする請求項２０に記載のテレビジョン受信機。
【発明の詳細な説明】
【技術分野】
【０００１】
本発明は、テレビジョン受信機、セットトップボックス、パーソナルコンピュータ、携帯電話機などのテレビジョン放送を受信する装置に関するものである。
【背景技術】
【０００２】
テレビジョン受信機において、番組をユーザに知らしめる方法として番組表が知られている。また、番組を提供する事業者が、提供する番組を視聴者に宣伝する方法として、第一にプレビュー放送が行われている。ユーザが、番組表を用いてプレビューチャンネルの視聴ができることは、特許文献１に開示されている。第二に雑誌メディアなどを用いてヒットしていることを知らしめることが行われている。ユーザが、番組表を用いてヒット作のリストを表示することは、特許文献１に開示されている。
【特許文献１】特表２００２−５１８９４８号公報
【非特許文献１】ＡＲＩＢ  ＳＴＤ−Ｂ２４  第二編  解説「ブックマークの概要」
【発明の開示】
【発明が解決しようとする課題】
【０００３】
しかしながら上記のようなテレビジョン受信機では、番組表における個々の番組において、プレビューが用意されているかどうかが、実際にプレビューチャンネルを見終わるまで分からない。このために視聴者は、見たい番組のプレビューを探すのに手間がかかるという問題が生じていた。また、視聴者は、番組を提供する事業者が宣伝のために評論家に書かせた評論を、番組表を用いて選択し読む事ができない。このために、テレビジョン放送では、雑誌メディアに比べて番組を十分に宣伝することができないという問題が生じていた。
【０００４】
また、サーバを用いるテレビジョン放送において、視聴者が蓄積された膨大な番組の中から、視聴したい／購入したい番組を選ぶのにあたり、視聴者は、番組を提供する事業者が提供する番組の宣伝を見て決定することが考えられる。しかし視聴者は、テレビジョン画面上で、宣伝の種別や有無を基に番組の検索ができない。このために視聴者は、膨大な番組の中から視聴したい番組を探す手間がかかるという問題が生じていた。
【０００５】
本発明は上記従来の問題点を解決するテレビジョン受信機を提供することを目的とする。
【課題を解決するための手段】
【０００６】
この目的を達成するために本発明のテレビジョン受信機は下記構成を有している。
【０００７】
本発明の請求項１記載の発明は、テレビジョン信号に基づきテレビジョン番組を求め、求めたテレビジョン番組をテレビジョン画面に表示するテレビジョン放送受信手段と、番組情報に基づき、番組表を求め、求めた番組表をテレビジョン画面に表示する番組表情報受信手段と、テレビジョン番組を宣伝するために送信される、プロモーション情報にアクセスするためのアクセス情報を受信するアクセス情報受信手段と、前記アクセス情報に基づきアクセス可能なプロモーション情報を求め、求めたアクセス可能なプロモーション情報を、前記番組表に組み込み、テレビジョン番組と対応付けて表示するよう制御する制御手段とを備えたテレビジョン受信機という構成を有している。
【０００８】
この構成によって、番組を提供する事業者が、テレビジョン番組を視聴者に宣伝するための情報（以下、「プロモーション情報」という。）として用意する番組のプレビューや有名評論家の評論情報やランキング情報を、番組表内で番組に対応させて提示することができる。
【０００９】
本発明の請求項２記載の発明は、前記アクセス情報受信手段は、テレビジョン信号から、あるいは、通信網を介して前記アクセス情報を取得し、前記番組情報に含まれている各テレビジョン番組の、前記アクセス情報を取得することを特徴とする請求項１に記載のテレビジョン受信機という構成を有している。
【００１０】
この構成によって、アクセス情報の伝送方法に応じて適切にアクセス情報を受信できる。
【００１１】
本発明の請求項３記載の発明は、前記制御手段は、各テレビジョン番組において、プロモーション情報を表示することを特徴とする請求項２に記載のテレビジョン受信機という構成を有している。
【００１２】
この構成によって、個々の番組について、プロモーション情報を提示することができる。
【００１３】
本発明の請求項４記載の発明は、前記制御手段は、プロモーション情報を示すリストを含んだ番組表を作成することを特徴とする請求項３に記載のテレビジョン受信機という構成を有している。
【００１４】
この構成によって、個々の番組について、リストを用いて複数のプロモーション情報を提示することができる。
【００１５】
本発明の請求項５記載の発明は、前記制御手段は、プロモーション情報を示すアイコンを含んだ番組表を作成することを特徴とする請求項３に記載のテレビジョン受信機という構成を有している。
【００１６】
この構成によって、個々の番組について、アイコンを用いて複数のプロモーション情報を提示することができる。
【００１７】
本発明の請求項６記載の発明は、前記制御手段は、前記アクセス可能なプロモーション情報を示すアイコンを含んだ番組内容画面を、縮小された前記テレビジョン番組と共に、前記テレビジョン画面に表示することを特徴とする、請求項２に記載のテレビジョン受信機という構成を有している。
【００１８】
この構成によって、番組内容の提示とともに、アイコンを用いて複数のプロモーション情報を提示することができる。
【００１９】
本発明の請求項７記載の発明は、前記制御手段は、表示されているテレビジョン番組について、前記アクセス情報を取得することを特徴とする、請求項６に記載のテレビジョン受信機という構成を有している。
【００２０】
この構成によって、表示中の番組においてプロモーション情報を提示することができる。
【００２１】
本発明の請求項８記載の発明は、ユーザからの指示を入力するための入力手段と、前記アクセス情報を用いてプロモーション情報を求め、求めたプロモーション情報をテレビジョン画面に表示するプロモーション情報受信手段とを備え、前記制御手段は、プロモーション情報を表示する指示を認識した場合に、プロモーション情報を求め表示するように制御することを特徴とする請求項１記載のテレビジョン受信機という構成を有している。
【００２２】
この構成によって、各番組のプロモーション情報を取得し表示することができる。
【００２３】
本発明の請求項９記載の発明は、前記プロモーション情報は、番組のプレビューコンテンツであることを特徴とする請求項８記載のテレビジョン受信機という構成を有している。
【００２４】
この構成によって、各番組のプレビューコンテンツを表示することができる。
【００２５】
本発明の請求項１０記載の発明は、前記制御手段は、プレビューコンテンツの縮小画面と、プレビューコンテンツの再生操作パネルとを有する表示画面を表示することを特徴とする請求項９記載のテレビジョン受信機という構成を有している。
【００２６】
この構成によって、各番組のプレビューコンテンツを表示することができる。
【００２７】
本発明の請求項１１記載の発明は、前記プロモーション情報は、番組の評論文であることを特徴とする請求項８記載のテレビジョン受信機という構成を有している。
【００２８】
この構成によって、各番組の表論文を表示することができる。
【００２９】
本発明の請求項１２記載の発明は、前記制御手段は、評論文の縮小画面と、評論家名とを有する表示画面を表示することを特徴とする請求項１１記載のテレビジョン受信機という構成を有している。
【００３０】
この構成によって、各番組の表論文を表示することができる。
【００３１】
本発明の請求項１３記載の発明は、前記プロモーション情報は、番組のランキングであることを特徴とする請求項８記載のテレビジョン受信機という構成を有している。
【００３２】
この構成によって、各番組のランキングを表示することができる。
【００３３】
本発明の請求項１４記載の発明は、前記制御手段は、番組表を並び替える指示を認識した場合に、前記アクセス可能なプロモーション情報を基に番組表を並び替える制御を行うことを特徴とする請求項８記載のテレビジョン受信機という構成を有している。
【００３４】
この構成によって、プロモーション情報を基に番組を検索する事ができる。
【００３５】
本発明の請求項１５記載の発明は、前記制御手段は、番組表を並び替える指示を認識した場合、並び替えの条件として前記アクセス可能なプロモーション情報を選択させるよう提示することを特徴とする請求項１４記載のテレビジョン受信機という構成を有している。
【００３６】
この構成によって、番組を検索する為のプロモーション情報を選択できる。
【００３７】
本発明の請求項１６記載の発明は、前記アクセス情報は、プロモーション情報のタイトルと、種別と、リンク先ＵＲＩと、有効期限とを備えることを特徴とする請求項１記載のテレビジョン受信機という構成を有している。
【００３８】
この構成によって、プロモーション情報のタイトルと、種別と、リンク先ＵＲＩと、有効期限を取得できる。
【００３９】
本発明の請求項１７記載の発明は、テレビジョン放送受信手段が受信した前記テレビジョン番組を蓄積する蓄積手段と、番組表情報受信手段が受信した前記番組情報を記憶する番組表情報記憶手段と、アクセス情報受信手段が受信した前記アクセス情報を記憶するアクセス情報記憶手段とを備え、前記制御手段は蓄積した個々のテレビジョン番組の所在と記憶した個々のアクセス情報の所在とを記憶した個々の番組情報と対応付けるよう制御することを特徴とする請求項１記載のテレビジョン受信機という構成を有している。
【００４０】
この構成によって、蓄積手段に蓄積された番組においても、番組を提供する事業者が、テレビジョン番組を視聴者に宣伝するための情報として用意する番組のプレビューや有名評論家の評論情報やランキング情報を、番組表内で番組に対応させて提示することができる。
【００４１】
本発明の請求項１８記載の発明は、前記制御手段は、前記アクセス可能なプロモーション情報を示すアイコンを含んだ番組表を作成し、作成した番組表を前記テレビジョン画面に表示することを特徴とする、請求項１７に記載のテレビジョン受信機という構成を有している。
【００４２】
この構成によって、蓄積手段に蓄積された番組においても、個々の番組について、アイコンを用いて複数のプロモーション情報を提示することができる。
【００４３】
本発明の請求項１９記載の発明は、前記制御手段は、前記アクセス可能なプロモーション情報を示すリストを含んだ番組表を作成し、作成した番組表を前記テレビジョン画面に表示することを特徴とする、請求項１７に記載のテレビジョン受信機という構成を有している。
【００４４】
この構成によって、蓄積手段に蓄積された番組においても、個々の番組について、リストを用いて複数のプロモーション情報を提示することができる。
【００４５】
本発明の請求項２０記載の発明は、前記制御手段は、前記アクセス可能なプロモーション情報を示すアイコンを含んだ番組内容画面を、縮小された前記テレビジョン映像と共に、前記テレビジョン画面に表示することを特徴とする、請求項１７に記載のテレビジョン受信機という構成を有している。
【００４６】
この構成によって、蓄積手段に蓄積された番組においても、番組内容とともにアイコンを用いて複数のプロモーション情報を提示することができる。
【００４７】
本発明の請求項２１記載の発明は、前記制御手段は、表示されているテレビジョン番組について、前記アクセス情報を前記アクセス情報記憶手段より読み出すことを特徴とする、請求項２０に記載のテレビジョン受信機という構成を有している。
【００４８】
この構成によって、蓄積手段に蓄積された番組においても、表示中の番組のプロモーション情報を提示することができる。
【発明の効果】
【００４９】
視聴者が番組を視聴したい／購入したいと感じるのは、コマーシャル映像や評論や視聴率ランキングを見て興味を覚えた場合が多い。本発明は、プロモーション情報として用意する番組のプレビューや有名評論家の評論情報やランキング情報を、番組表内で番組に対応させて提示することができる。
【００５０】
また、表示する番組表はプロモーション情報によって並び替えることもできる。
【００５１】
その結果、番組を提供する事業者には、テレビジョン画面上で効率よく番組を宣伝する手段を提供することが実現できる。一方、視聴者は、簡単に番組表からプロモーション情報を検索可能であり、プロモーション情報を見て簡単に視聴／購入番組を選択することができる。
【発明を実施するための最良の形態】
【００５２】
以下では、当該発明にかかる実施するための最良の形態について、図面を参照しつつ説明を行う。
（実施の形態１）
以下本発明の実施の形態１を、図面を参照しながら説明する。図１は、本発明の実施の形態１におけるテレビジョン受信機を含むシステムの構成を示す図である。図１に示すシステムは、番組提供装置１、放送局装置２、テレビジョン受信機３、プロモーション情報サーバ５、複数の情報サーバ６、および通信網４を備える。このうち、テレビジョン受信機３とプロモーション情報サーバ５と情報サーバ６とは、通信網４を介して相互に通信可能に接続されている。また、番組提供装置１と放送局装置２、番組提供装置１とプロモーション情報サーバ５とは、専用線で常時接続されている。なお、図１には１台のテレビジョン受信機３のみが示されているが、図１に示すシステムには、実際には多数のテレビジョン受信機３が含まれる。
【００５３】
情報サーバ６は、テレビジョン番組に関連する情報（以下、「番組関連情報」という。）を蓄積するサーバである。番組関連情報とは、例えば、あるレストランで提供される料理を紹介するテレビジョン番組があった場合に、料理の作り方に関する情報、レストランに関する情報、料理が提供されるときに使用される食器に関する情報などをいう。上述したように、テレビジョン受信機３は、通信網４を介して情報サーバ６と通信可能に接続されている。そこで、テレビジョン受信機３は、通信網４を介して情報サーバ６にアクセスし、情報サーバ６から番組関連情報を取得する。テレビジョン受信機３は、情報サーバ６から取得した番組関連情報をテレビジョン映像に重畳して、あるいは、テレビジョン映像と共にテレビジョン画面に表示する。
【００５４】
プロモーション情報サーバ５は、テレビジョン番組を提供する事業者（以下、「番組提供事業者」という。）によって管理されるサーバである。番組提供事業者は、プロモーション情報をプロモーションサーバ５に蓄積する。プロモーション情報とは、例えば、ある映画番組の概要が分かるプレビュー情報、あるドラマ番組を評論家が評論した情報、あるバラエティ番組の視聴率ランキング情報、あるニュース番組の視聴者投票のランキング情報などをいう。番組提供事業者は作成したプロモーション情報をテレビジョン受信機３で利用できる形式のプロモーション情報に変換し、得られたプロモーション情報を、専用線を介して接続されたプロモーション情報サーバ５に送信する。上述したように、テレビジョン受信機３は、通信網４を介してプロモーション情報サーバ５と通信可能に接続されている。そこで、テレビジョン受信機３は、通信網４を介してプロモーション情報サーバ５にアクセスし、プロモーション情報サーバ５からプロモーション情報を取得する。テレビジョン受信機３は、プロモーション情報サーバ５から取得したプロモーション情報をテレビジョン映像に重畳して、あるいは、テレビジョン映像と共にテレビジョン画面に表示する。
【００５５】
放送局装置２は、テレビジョン放送事業者によって管理される装置である。放送局装置２は、テレビジョン受信機３にテレビジョン信号を送信する。また、番組提供事業者は作成したプロモーション情報にアクセスするための情報（以下、「アクセス情報」という。）をテレビジョン受信機３で利用できる形式のアクセス情報に変換し、得られたアクセス情報を、専用線を介して接続された放送局装置２に送信する。放送局装置２は、番組表を提供する事業者が作成した番組表を構成するための情報（以下、「番組情報」という。）を、図示しない専用線を介して受信し、テレビジョン受信機３で利用できる形式の番組情報に変換する。放送局装置２は、テレビジョン受信機３に対し、テレビジョン信号にアクセス情報と番組情報を含んで送信する。
【００５６】
テレビジョン受信機３は、テレビジョン受信機能を有する。すなわち、テレビジョン受信機３は、放送局装置２から送信されたテレビジョン信号を受信し、受信したテレビジョン信号に基づきテレビジョン映像を求め、求めたテレビジョン映像をテレビジョン画面に表示する。テレビジョン放送事業者が行うテレビジョン放送は、典型的にはデジタル方式のテレビジョン放送であるが、アナログ方式のテレビジョン放送であってもよい。
【００５７】
テレビジョン受信機３は、通常動作時は、テレビジョン信号に基づくテレビジョン映像をテレビジョン画面に表示する。また、テレビジョン受信機３は、テレビジョン信号に含まれる番組情報に基づきユーザが認識できる番組表を作成し、ユーザからの指示に応じて、作成した番組表をテレビジョン映像に重畳して、あるいはテレビジョン映像と共にテレビジョン画面に表示する。また、テレビジョン受信機３は、テレビジョン信号に含まれるアクセス情報に基づき、利用できる形式のアクセス情報を作成し、ユーザからの指示に応じて、作成したプロモーション情報の提示画面を番組表と合成し、テレビジョン映像に重畳して、あるいはテレビジョン映像と共にテレビジョン画面に表示する。
【００５８】
なお、以上の説明では、テレビジョン受信機３は、プロモーション情報サーバ５からプロモーション情報を取得することとしたが、これに代えて、プロモーション情報を、テレビジョン信号を介して取得してもよい。例えば、放送局装置２は、テレビジョン受信機３に対し、テレビジョン信号にアクセス情報と番組情報とプロモーション情報を含んで送信しても良い。また、テレビジョン受信機３は、テレビジョン信号から番組情報およびアクセス情報を取得することとしたが、これに代えて、アクセス情報を、通信網を介して取得してもよい。例えば、プロモーション情報サーバ５は、テレビジョン受信機３に対し、アクセス情報と番組情報とプロモーション情報を含んで送信しても良い。
【００５９】
図２は、本発明の実施の形態１におけるテレビジョン受信機１００の構成を示すブロック図である。特にテレビジョン受信機１００が全ての番組を蓄積デバイスに蓄積し、ユーザが番組表を用いて、所望の時間に番組を選択し視聴する場合の実施例である。この概念は、近年、サーバ型放送として規格化が進んでいるので、今後そのようなテレビジョン受信機が商品化されるものと思われる。また、蓄積デバイスはテレビジョン受信機の外部に存在し、ネットワークで接続する場合も当然考えられる。テレビジョン受信機１００は、チューナ１０１、分離部１０２、デコーダ１０３、ＯＳＤ（Ｏｎ  Ｓｃｒｅｅｎ  Ｄｉｓｐｌａｙ  ）処理部１０４、合成部１０５、表示部１０６、制御部１１１、通信部１１２、入力部１１３、番組表情報記憶部１１４、アクセス情報記憶部１１５、ビットマップ記憶部１１６、蓄積デバイス１１７、アクセス情報書式記憶部１１８を備える。
【００６０】
チューナ１０１は、放送局装置２から送信されたテレビジョン信号から、ユーザによって選択された周波数帯の信号を抽出し、トランスポートストリームとして出力する。分離部１０２は、チューナ１０１から出力されたトランスポートストリームを、デジタル映像信号とデジタル音声信号と制御信号とに分離する。デコーダ１０３は、分離部１０２から出力された、符号化されたデジタル映像信号およびデジタル音声信号に基づき、アナログ映像信号およびアナログ音声信号を求める。ＯＳＤ処理部１０４は、制御部１１１から出力されたＯＳＤ制御信号に基づき、ＯＳＤ表示信号を出力する。合成部１０５は、デコーダ１０３から出力されたアナログ映像信号に対して、ＯＳＤ処理部１０４から出力されたＯＳＤ表示信号を合成する。表示部１０６は、合成部１０５から出力されたアナログ映像信号を画面に表示する。なお、デコーダ１０３から出力されたアナログ音声信号は、音声出力部（図示せず）から出力される。
【００６１】
制御部１１１は、テレビジョン受信機１００に関する各種の制御を行う。通信部１１２は、制御部１１１からの制御に従い、通信網４に接続されたプロモーションサーバ５および情報サーバ６との間でデータを送受信する。入力部１１３は、ユーザからのコマンドを入力するための入力装置である。入力部１１３は、ユーザから入力されたコマンドに応じて、コマンド入力信号を制御部１１１に出力する。
【００６２】
番組表情報記憶部１１４およびプロモーション情報記憶部１１５は、制御部１１１の作業用データを記憶する。分離部１０２で分離された制御信号には、放送局装置２から送信された番組情報およびアクセス情報が含まれる。制御部１１１の作業用データのうち番組情報は、番組表情報記憶部１１４に記憶される。記憶部１１５には、制御部１１１がテレビジョン信号に含まれるアクセス情報に基づき、利用できる形式のアクセス情報を作成した、種別、リンク先ＵＲＩ、カテゴリー、リンク先媒体、タイトル、有効期限が記憶される。
【００６３】
ビットマップ記憶部１１６は、ＯＳＤ表示に用いるビットマップ情報を記憶する。ビットマップ情報には、プロモーション情報の提示画面を構成するためのアイコンも含まれる。
【００６４】
なお、以上の説明では、テレビジョン受信機１００は、番組表情報記憶部１１４およびアクセス情報記憶部１１５およびビットマップ記憶部１１６を別々に備えることとしたが、それらを１つの記憶部として構成してもよいことは言うまでもない。また、蓄積デバイス１１７内に構成しても良い。
【００６５】
テレビジョン受信機１００において、テレビジョン画面にテレビジョン映像以外の画面を表示するときには、制御部１１１が、テレビジョン映像以外の画面を生成するためのＯＳＤ制御信号を生成し、生成したＯＳＤ制御信号をＯＳＤ処理部１０４に出力する。これにより、番組表や、プロモーション情報の提示画面や、コマンド入力画面などが、テレビジョン映像に重畳して、あるいはテレビジョン画面と共にテレビジョン画面に表示される。
【００６６】
図３は、番組表情報記憶部１１４およびアクセス情報記憶部１１５に記憶されるデータを示す図である。番組表情報記憶部１１４には、図３に示すように、番組情報（例えば、概要、出演者など）と対応付けて、番組ＵＲＩ（Ｕｎｉｆｏｒｍ  Ｒｅｓｏｕｒｃｅ  Ｉｄｅｎｔｉｆｉｅｒ）およびアクセス情報ＵＲＩが記憶される。図３における１２１が個々の番組において番組情報を用いて作成された番組表情報である。番組表情報とは、番組情報と、対応付けられた番組ＵＲＩおよびアクセス情報ＵＲＩとする。番組表情報記憶部１１４には、制御部１１１の管理の元全ての番組の番組表情報が記憶される。
図３で示したアクセス情報の書式は、送受で予め決められており、アクセス情報書式記憶部１１８に記憶されている。アクセス情報の書式は、予めアクセス情報書式記憶部１１８に記憶して出荷されて良いし、出荷後にソフトウェアダウンロードにより書き込まれても良い。
【００６７】
番組ＵＲＩとは、番組のコンテンツ１２２（映像や音声や付加データなど）を識別する情報である。コンテンツ１２２の識別データおよび所在を示すデータから構成される。所在はテレビジョン信号、テレビジョン受信機１００内の蓄積デバイス１１７内、通信網を介して接続可能な情報サーバ内のどこでも良い。番組ＵＲＩはそれぞれの場合において適切に所在を示すことができる。録画番組の番組表を表示する場合のように、テレビジョン受信機１００内の所在を示す場合は、番組ＵＲＩは、制御部１１１の制御により、番組を録画した所在を基に作成され書き込まれる。オンエア番組の番組表を表示する場合は、番組ＵＲＩは、制御部１１１の制御により、番組情報から求めることができる日時やネットワーク番号、チャンネル番号が書き込まれる。通信網上の情報サーバに蓄積されている番組表を表示する場合は、番組ＵＲＩはＵＲＬ（Ｕｎｉｆｏｒｍ  Ｒｅｓｏｕｒｃｅ  Ｌｏｃａｔｏｒ）が書き込まれる。なお、ＵＲＩとは、様々な媒体やメディアにおける情報資源を指し示す記述方式であり、ＵＲＬとは、ＵＲＩの一部をインターネット用に具体化したものであることは周知である。
【００６８】
アクセス情報ＵＲＩとは、番組に関わるアクセス情報を識別する情報である。アクセス情報の所在を示すデータから構成される。所在については、テレビジョン受信機内のアクセス情報記憶部１１５内のアドレスを示す値が考えられる。アクセス情報ＵＲＩは、制御部１１１の制御により番組表情報記憶部１１４に記憶される。図３においては、番組情報に３つのアクセス情報ＵＲＩが対応付けられている。対応付けられるアクセス情報ＵＲＩ数は、プロモーション情報数で決まるものであり、特に限定があるものでない。図３における１２３、１２４、１２５がこの番組におけるアクセス情報であり、アクセス情報記憶部１１５には、制御部１１１の管理の元全ての番組のアクセス情報が記憶される。
【００６９】
アクセス情報記憶部１１５には、図３に示すように、テレビジョン信号に含まれるアクセス情報に基づき、利用できる形式のアクセス情報を作成したアクセス情報が記憶される。アクセス情報１２３は、図３における番組表情報１２１のアクセス情報ＵＲＩ１によりアドレスが指定される。アクセス情報１２３は、プロモーション情報がプレビューである場合のアクセス情報である。以下の情報から構成される書式である。タイトルはプレビューを示すデータである００。種別はリンクを示すデータである００１。リンク先ＵＲＩは、種別がリンクであるために有効となり、プレビューコンテンツの識別と所在を示すＵＲＬであるｈｔｔｐ：／／ａｂｃ．ｘｘ．ｗｍｖ。カテゴリーは特定の事業者コードを示すデータであるＡ。有効期限は２００３年１２月１２日１２時を示すデータである２００３１２１２１２。リンク先媒体は、種別がリンクであるために有効となり、プレビューコンテンツの受信経路がネットワーク（通信網）を示すデータである００。記録元ＵＲＩは対応付けられるべき特定の番組を識別するための番組識別ＩＤを示す０２。なお、番組識別ＩＤは、デジタル放送で一般的なネットワークＩＤとＴＳ＿ＩＤとサービス番号とを用いることが考えられる。
【００７０】
アクセス情報１２４は図３における番組表情報１２１のアクセス情報ＵＲＩ２によりアドレスが指定される。アクセス情報１２４は、プロモーション情報が評論である場合のアクセス情報である。以下の情報から構成される書式である。タイトルは評論を示すデータである０１。種別はリンクを示すデータである００１。リンク先ＵＲＩは、種別がリンクであるために有効となり、評論コンテンツの識別と所在を示すＵＲＬである０１：／／１１１．ｘｙｚ．ｂｍｌ。カテゴリーは特定の事業者コードを示すデータであるＢ。有効期限は２００３年１０月１０日００時を示すデータである２００３１０１０００。リンク先媒体は、種別がリンクであるために有効となり、評論コンテンツの受信経路が放送（テレビジョン信号）を示すデータである０１。記録元ＵＲＩは対応付けられるべき特定の番組を識別するための番組識別ＩＤを示す０４。
【００７１】
アクセス情報１２５は図３における番組表情報１２１のアクセス情報ＵＲＩ３によりアドレスが指定される。アクセス情報１２５は、プロモーション情報がランキングである場合のアクセス情報である。以下の情報から構成される書式である。タイトルはランキングを示すデータである０２。種別はテキストを示すデータである００２。リンク先ＵＲＩは、種別がリンクでないために無効となる。カテゴリーは特定の事業者コードを示すデータであるＣ。有効期限は２００３年１１月１０日０８時を示すデータである２００３１１１００８。リンク先媒体は、種別がリンクでないために無効となる。テキストはランキングのコンテンツ本体である。記録元ＵＲＩは、対応付けられるべき特定の番組を識別するための番組識別ＩＤを示す１６。以上のプロモーション情報の種類とアクセス情報の個々のデータとの組み合わせは、一例を示しただけで、特に制限はない。また、制御部１１１は、テレビジョン放送から受信するアクセス情報の中から必要な情報のみを抽出し、テレビジョン受信機１００が処理する為に適切なアクセス情報に作成した後にアクセス情報記憶部１１５に記憶する。以上のアクセス情報のデータについては、非特許文献１に記載されているブックマークサービスに使用されているデータを更にアクセス情報に適するデータ書式に改善したものである。従って、アクセス情報は、ブックマークサービスを応用して、テレビジョン放送信号に含ませることができる。
【００７２】
図４は、本発明の実施の形態１におけるテレビジョン受信機１００による番組表情報とアクセス情報を作成し記憶する処理を示すフローチャートである。テレビジョン受信機１００の制御部１１１は、チューナ１０１がテレビジョン放送の受信を開始したときに、以下の処理を実行する。
【００７３】
分離部１０２がチューナ１０１からトランスポートストリームを入力すると（ステップＳ２０１）、制御部１１１は、分離部１０２を用いて、受信するトランスポートストリームの中から、番組のコンテンツのストリームと番組情報のデータとアクセス情報のデータとを分離する。
【００７４】
番組のコンテンツのストリームは、蓄積デバイス１１７に蓄積する（ステップＳ２０２）。分離部１０２を用いて、番組情報を検出した場合は（ステップＳ２０３）、番組情報を番組表情報記憶部１１４に記憶する（ステップＳ２０４）。制御部１１１は、ステップＳ２０２で蓄積デバイス１１７に蓄積したアドレスを認識している。そこで、制御部１１１は、番組のコンテンツを蓄積したアドレスを、関連する番組情報と対応付け、番組ＵＲＩとして、番組表情報記憶部１１４に記憶する（ステップＳ２０５）。制御部１１１は、番組情報内に含まれる、番組を放送する日時、チャンネル情報あるいは番組を識別する情報（例えば番組識別ＩＤ）を用いて、受信する番組のコンテンツと番組情報との関連を認識することができる。
【００７５】
また、分離部１０２を用いて、アクセス情報を検出した場合は（ステップＳ２０６）、制御部１１１は、アクセス情報書式記憶部１１８に記憶されているアクセス情報の書式を参考にしてアクセス情報の内容を把握した後、利用できる形式に変換したアクセス情報をアクセス情報記憶部１１５に記憶する（ステップＳ２０７）。制御部１１１は、ステップＳ２０７でアクセス情報記憶部１１５に蓄積したアドレスを認識している。そこで、制御部１１１は、アクセス情報を蓄積したアドレスを、関連する番組情報と対応付けて、アクセス情報ＵＲＩとして、番組表情報記憶部１１４に記憶する（ステップＳ２０８）。制御部１１１は、アクセス情報内に含まれる対応付けられる番組を特定する記録元ＵＲＩ情報を用いて、あるいはアクセス情報を受信する時刻を用いて（対応付けるアクセス情報は番組コンテンツと同時に送信するという放送側との事前の取り決めがある場合）、受信する番組のコンテンツとアクセス情報と番組情報との関連を認識することができる。本実施例では、番組コンテンツの受信、番組情報の受信、アクセス情報の受信という順番で説明したが、順番は本来テレビジョン信号により決まるものであり、特に限定するものではない。
【００７６】
図５は、本発明の実施の形態１におけるテレビジョン受信機１００によるプロモーション情報の提示を含む番組表を作成し、表示する処理を示すフローチャートである。テレビジョン受信機１００の制御部１１１は、ユーザがリモコンなどを用いて、蓄積されている番組の番組表の表示を指示したときに、以下の処理を実行する。
【００７７】
制御部１１１は、入力部１１３を介して番組表の表示指示を認識すると（ステップＳ２１１）、番組表情報記憶部１１４に番組情報が記憶されていることを確認する（ステップＳ２１２）。記憶されている場合、制御部１１１は、番組情報を順次読み出す（ステップＳ２１３）。制御部１１１は、読み出した番組情報を基に、ＯＳＤ処理部１０４を用いて番組表の番組情報部を表示する。また、ユーザが番組表の番組情報部を操作して、番組を視聴する指示をする場合に備えて、番組情報部と番組ＵＲＩを対応付けておく（ステップＳ２１４）。
【００７８】
未処理の対応付けられているアクセス情報ＵＲＩがある場合（ステップＳ２１５）、制御部１１１は、アクセス情報ＵＲＩを解釈し、アクセス情報記憶部１１５内のアドレスを認識し、該当するアクセス情報を取得する（ステップＳ２１６）。制御部１１１は、取得したアクセス情報内の有効期限の情報を参照し、有効期限内かどうかを判定する（ステップＳ２１７）。有効期限内であれば、アクセス情報内のタイトル情報を参照し、アクセス情報が示すプロモーション情報の内容を認識する。
【００７９】
次にプロモーション情報の内容に対応するアイコンのビットマップを、ビットマップ記憶部１１６から読み出す。制御部１１１は、読み出したアイコンのビットマップを使い、ＯＳＤ処理部を用いて、番組表のプロモーション情報の提示部を表示する。アイコンのビットマップは、予めビットマップ記憶部１１６に記憶されても良いし、テレビジョン信号を用いてダウンロードされても良い。また、ユーザが番組表のプロモーション情報の提示部を操作して、プロモーション情報を視聴する指示をする場合に備えて、プロモーション情報の提示部のアイコンとリンク先ＵＲＩおよびリンク先媒体を対応付けておく（ステップＳ２１８）。ステップＳ２１７で有効期限外であれば、ステップＳ２１８は実行されない。また、その時点でアクセス情報およびアクセス情報ＵＲＩは消去しても良い。対応付けられているアクセス情報ＵＲＩ数に応じてステップＳ２１５からステップＳ２１８の処理は続けられる。全てのアクセス情報で処理を終了させれば、次の番組情報に対する番組表を追加する処理に戻るが、画面上に番組表を追加できない場合や未処理の番組情報が無くなった場合は処理を終了する。
【００８０】
図６は、本発明の実施の形態１におけるテレビジョン受信機１００によるプロモーション情報を表示する処理を示すフローチャートである。テレビジョン受信機１００の制御部１１１は、ユーザがリモコンなどを用いて、プロモーション情報の表示を指示したときに、以下の処理を実行する。
【００８１】
ユーザは、ステップＳ２１８で表示された番組表のプロモーション情報の提示部を用いて、プロモーション情報の表示指示をすることができる。制御部１１１は、入力部１１３を介してプロモーション情報の表示指示を認識すると（ステップＳ２２１）、制御部１１１は、選択されたプロモーション情報を認識し、対応付けられているリンク先媒体を検証する。リンク先媒体が、ネットワークである場合は通信部１１２を用いて、放送である場合はチューナ１０１を用いて、リンク先ＵＲＩにアクセスする（ステップＳ２２２）。次にリンク先ＵＲＩからプロモーション情報のコンテンツを取得する（ステップＳ２２４）。制御部１１１は、デコーダ１０３またはＯＳＤ処理部１０４を用いて、取得したプロモーション情報のコンテンツに対し、適切なデコードした後、表示する。この時、合成部１０５を用いて適切な／所定の画面様式となるようにコンテンツを表示する（ステップＳ２２５）。その後、制御部１１１は、ユーザからプロモーション情報の表示終了の指示があれば表示を終了する（ステップＳ２２６）。
【００８２】
ここで、図面を用いて表示画面の説明をする。
【００８３】
図７は、本発明の実施の形態１におけるテレビジョン受信機１００によるプロモーション情報の提示を含む番組表の表示画面の第一の実施例を示す図である。テレビジョン受信機１００の制御部１１１は、ユーザがリモコンなどを用いて、蓄積されている番組の番組表の表示を指示したときに、この画面を表示する。図７は、ユーザーが番組表のトップ画面よりジャンル検索を実行した結果を示している。
【００８４】
番組表２６１は画面一杯に表示される。ユーザは、リモコンなどを操作して、カーソル２６３を画面上で移動させる。番組情報部は左側に表示されている。例えば番組ＡＡの行であれば、タイトルを示す「番組ＡＡ」、時間を示す「２ｈ」、金額を示す「￥３３０」までが番組情報部である。「視聴」は、ユーザーが視聴する際に押すボタンである。プロモーション情報の提示部は番組情報部の右側に表示されている。例えば番組ＡＡの行であれば、３つのアイコンが並んであり、左からプレビューのアイコン２６４、評論のアイコン２６５、ランキングのアイコン２６６である。番組ＦＦの行でプロモーション情報の提示部に何も表示されていないのは、番組に対応するプロモーション情報が無いためである。図７で分かるように、個々の番組において、番組表示部とプロモーション情報の提示部が横に並んで表示されており、番組が縦に並んで表示されている。横と縦を入れ替えることができることは言うまでもない。ユーザは視聴ボタンを押すことにより、番組のコンテンツを購入し視聴できる。その前にプロモーション情報を見て、購入するかどうかを判断することができる。ユーザが見たいプロモーション情報は、カーソル２６３を移動させ、アイコンを選択し、決定ボタンを押すことで選択決定することができる。なお、操作ガイド２６２の記述に基づいてカーソルを操作することもできる。
【００８５】
図８は、テレビジョン受信機１００によるプロモーション情報の提示を含む番組表の表示画面の第二の実施例を示す図である。テレビジョン受信機１００の制御部１１１は、ユーザがリモコンなどを用いて、蓄積されている番組の番組表の表示を指示したときに、この画面を表示する。
【００８６】
番組表２７１における番組表示部は、図７と同じであるので説明を省略する。プロモーション情報部は、対応付けられているプロモーション情報のリストをウインドウ表示する。プロモーション情報部には、ウインドウを開く前の表示において、予めプロモーション情報の有無を示す記述を書いてあっても良い。ウインドウ２７３は、番組のプロモーション情報部が選択されたときに開き、ユーザがリモコンを用いてリスト中のプロモーション情報を選択できる。ウインドウ２７３には、プロモーション情報のタイトルが書かれている。ユーザが選択しているタイトルは強調表示され、リモコンの操作に応じて強調表示を移動することができる。
【００８７】
図９は、本発明の実施の形態１におけるテレビジョン受信機１００によるプレビュー情報の表示画面の実施例を示す図である。テレビジョン受信機１００の制御部１１１は、ユーザがリモコンなどを用いて、プロモーション情報であるプレビュー情報の表示を指示したときに、この画面を表示する。
【００８８】
プレビュー画面２８１におけるプレビューコンテンツの再生画面２８２は、予め決められている表示サイズと表示位置に表示される。プレビューコンテンツは、番組提供事業者によって、予め番組の概要が分かる映像や音声を収録したコンテンツである。プロモーション情報サーバ５あるいは放送局装置２に、テレビジョン放送受信機３と接続可能に用意される。
【００８９】
プレビュー画面２８１の操作パネル２８３には、左からまき戻し、停止、再生、早送りのアイコンが用意されており、ユーザはリモコンを用いてアイコンを選択決定して、プレビュー画面を再生操作できる。再生時間を示すバー２８４も用意されている。ユーザはプレビューコンテンツを見て、番組の購入を決定できるよう、操作ガイド２８５も表示されている。
【００９０】
図１０は、本発明の実施の形態１におけるテレビジョン受信機１００による評論情報の表示画面の実施例を示す図である。テレビジョン受信機１００の制御部１１１は、ユーザがリモコンなどを用いて、プロモーション情報である評論情報の表示を指示したときに、この画面を表示する。
【００９１】
評論画面３１１における評論情報の表示画面３１２は、予め決められている表示サイズと表示位置に表示される。評論情報は、番組提供事業者によって、予め評論家に番組を評論させて求められた文章である。プロモーション情報サーバ５あるいは放送局装置２に、テレビジョン放送受信機３と接続可能に用意される。
【００９２】
評論表示画面３１２のスクロールパネル３１４には、上方スクロール、下方スクロールのアイコンが用意されており、ユーザはリモコンを用いてアイコンを選択決定して、評論情報の表示画面３１２をスクロール操作できる。評論家表示３１５は、評論情報を書いた評論家の名前が表示される。ユーザは評論情報を見て、番組の購入を決定できるよう、操作ガイド３１３も表示されている。なお、評論情報は複数ある場合も考えられる。その場合、評論情報の表示画面３１２および評論家表示３１５に複数の情報が書かれても良く、複数ページに分けて評論情報の表示画面３１２および評論家表示３１５があっても良い。
【００９３】
図１１は、本発明の実施の形態１におけるテレビジョン受信機１００によるランキング情報の表示画面の実施例である。テレビジョン受信機１００の制御部１１１は、ユーザがリモコンなどを用いて、プロモーション情報であるランキング情報の表示を指示したときに、この画面を表示する。
【００９４】
ランキング表示画面３２１におけるランキング情報の表示画面３２２は、予め決められている表示サイズと表示位置に表示される。ランキング情報は、番組提供事業者によって、予め番組のランキングを集計して求められたものである。ランキングは視聴者数や視聴率または視聴者による投票を集計することが考えられる。プロモーション情報サーバ５あるいは放送局装置２に、テレビジョン放送受信機３と接続可能に用意される。ユーザはランキング情報を見て、番組の購入を決定できるよう、操作ガイド３２３も表示されている。
【００９５】
図１２は、本発明の実施の形態１におけるテレビジョン受信機１００によるアクセス情報を用いて番組表の並び替え表示する処理を示すフローチャートである。テレビジョン受信機１００の制御部１１１は、ユーザがリモコンなどを用いて、番組表の並び替え表示を指示したときに、以下の処理を実行する。
【００９６】
制御部１１１は、入力部１１３を介して番組表の並び替え表示指示を認識すると（ステップＳ２３１）、並び替えるための条件として用いるプロモーション情報を、ユーザに選択させるための画面を、ＯＳＤ処理部１０４を用いて表示する。（ステップＳ２３２）。ユーザがリモコンなどを用いてプロモーション情報を選択すると、制御部１１１は、選択されたプロモーション情報を認識し、ステップＳ２３２で表示した画面を消去する（ステップＳ２３３）。番組情報が番組表情報記憶部１１４に記憶されている場合（ステップＳ２３４）、制御部１１１は、番組情報を順次読み出す（ステップＳ２３５）。対応付けられているアクセス情報ＵＲＩがある場合（ステップＳ２３６）、制御部１１１は、アクセス情報ＵＲＩを解釈し、アクセス情報記憶部１１５内のアドレスを認識し、該当するアクセス情報を取得する（ステップＳ２３７）。制御部１１１は、取得したアクセス情報１１１内の有効期限の情報を参照し、有効期限内かどうかを判定する（ステップＳ２３８）。
【００９７】
有効期限内であれば、アクセス情報内のタイトル情報を参照し、そのアクセス情報が対応するプロモーション情報の内容を認識する。制御部１１１は、ここで認識したプロモーション情報の内容が、ステップＳ２３３で認識した選択されたプロモーション情報かどうかの判定を行う（ステップＳ２３９）。選択されたプロモーション情報であると判定した場合、プロモーション情報ありのフラグを立てて図示しないバッファーメモリに書き込む（ステップ２４０）。
【００９８】
ステップＳ２３８で有効期限外であれば、ステップＳ２３９とステップＳ２４０は実行されない。また、その時点でアクセス情報およびアクセス情報ＵＲＩは消去しても良い。対応付けられているアクセス情報ＵＲＩ数に応じてステップＳ２３６からステップＳ２４０の処理は続けられる。制御部１１１は、全てのアクセス情報で処理が終れば、番組情報においてプロモーション情報ありのフラグが立っているかどうかを検証する。この検証は、該当する番組情報に対応付けられているプロモーション情報の中に、ステップＳ２３３で認識した選択されたプロモーション情報があるかどうかの検証である（ステップＳ２４１）。プロモーション情報ありのフラグが立っていれば、制御部１１１は、ステップＳ２３５において読み出した番組情報を基に、ＯＳＤ処理部１０４を用いて番組表の番組情報部を表示する。また、ユーザが番組表の番組情報部を操作して、番組を視聴する指示をする場合に備えて、番組情報部と番組ＵＲＩを対応付けておく（ステップＳ２４２）。
【００９９】
未処理の対応付けられているアクセス情報ＵＲＩがある場合（ステップＳ２４３）、制御部１１１は、アクセス情報ＵＲＩを解釈し、アクセス情報記憶部１１５内のアドレスを認識し、該当するアクセス情報を取得する（ステップＳ２４４）。制御部１１１は、取得したアクセス情報１１１内の有効期限の情報を参照し、有効期限内かどうかを判定する（ステップＳ２４４）。
【０１００】
有効期限内であれば、アクセス情報内のタイトル情報を参照し、アクセス情報が示すプロモーション情報の内容を認識する。次にプロモーション情報の内容に対応するアイコンのビットマップを、ビットマップ記憶部１１６から読み出す。読み出したアイコンのビットマップを使い、ＯＳＤ処理部を用いて、番組表のプロモーション情報の提示部を表示する。また、ユーザが番組表のプロモーション情報の提示部を操作して、プロモーション情報を視聴する指示をする場合に備えて、プロモーション情報の提示部とリンク先ＵＲＩおよびリンク先媒体を対応付けておく（ステップＳ２４６）。ステップＳ２４５で有効期限外であれば、ステップＳ２４６は実行されない。また、その時点でアクセス情報およびアクセス情報ＵＲＩは消去しても良い。ステップＳ２４５は、ステップＳ２３８からの時間が短い場合は、省略しても良い。
【０１０１】
対応付けられているアクセス情報ＵＲＩ数に応じてステップＳ２４３からステップＳ２４６の処理は続けられる。全てのアクセス情報で処理を終了した場合、あるいはステップＳ２４１でフラグが立っていなかった場合は、フラグをリセットし、次の番組情報に対するステップＳ２３３で認識した選択されたプロモーション情報があるかどうかの検証処理、検証結果に応じての番組表を追加する処理に戻るが、画面上に番組表を追加できない場合や未処理の番組情報が無くなった場合は処理を終了する。
【０１０２】
図１３は、本発明の実施の形態１におけるテレビジョン受信機１００による番組表を並び替えるため、あるいは番組を検索するための条件として用いるプロモーション情報を、ユーザに選択させるための表示画面の実施例を示す図である。テレビジョン受信機１００の制御部１１１は、ユーザがリモコンなどを用いて、プロモーション情報による番組表の並び替え表示、あるいは番組の検索を指示したときに、この画面を表示する。
【０１０３】
表示画面２９１におけるガイド画面２９２は、番組の検索の条件として使用可能なプロモーション情報を示すアイコンを並べて表示する。ユーザは、リモコンなどを用いて、カーソル２９３を移動させてアイコンを選択し、番組の検索の条件として使用するプロモーション情報を決定することができる。
【０１０４】
図１４は、本発明の実施の形態１におけるテレビジョン受信機１００による並び替えた番組表あるいは検索結果を表示する画面の実施例を示す図である。テレビジョン受信機１００の制御部１１１は、ユーザがリモコンなどを用いて、条件とするプロモーション情報を選択し、番組表の並び替え表示、あるいは番組の検索を決定した後、番組表の並び替え、あるいは番組の検索処理の結果としてこの画面を表示する。
【０１０５】
表示画面３０１では、ユーザが選択したプロモーションが評論情報であるので、評論情報が対応付けられている番組のみを表示している。なお、操作ガイド３０２の記述に基づいてカーソルを操作することもできる。
【０１０６】
図１５は、本発明の実施の形態１におけるテレビジョン受信機１００によるプロモーション情報の提示を含む番組内容を表示する処理を示すフローチャートである。テレビジョン受信機１００の制御部１１１は、ユーザがリモコンなどを用いて、蓄積されている番組の番組内容の表示を指示したときに、以下の処理を実行する。
【０１０７】
制御部１１１は、入力部１１３を介して番組内容の指示を認識すると（ステップＳ２５１）、制御部１１１は、該当する番組情報を番組情報記憶部１１４から読み出す（ステップＳ２５２）。制御部１１１は、読み出した番組情報を基に、ＯＳＤ処理部１０４を用いて番組表の番組情報部を表示する。また、視聴中の番組をデコーダ１０３を用いて、所定の縮小率に基づき縮小し、合成部１０５を用いて、番組表の番組情報部と合成して表示する（ステップＳ２５３）。
【０１０８】
未処理の対応付けられているアクセス情報ＵＲＩがある場合（ステップＳ２５４）、制御部１１１は、アクセス情報ＵＲＩを解釈し、アクセス情報記憶部１１５内のアドレスを認識し、該当するアクセス情報を取得する（ステップＳ２５５）。制御部１１１は、取得したアクセス情報内の有効期限の情報を参照し、有効期限内かどうかを判定する（ステップＳ２５５）。有効期限内であれば、アクセス情報内のタイトル情報を参照し、アクセス情報が示すプロモーション情報の内容を認識する。
【０１０９】
次にプロモーション情報の内容に対応するアイコンのビットマップを、ビットマップ記憶部１１６から読み出す。読み出したアイコンのビットマップを使い、ＯＳＤ処理部を用いて、番組内容のプロモーション情報の提示部を表示する。また、ユーザが番組内容のプロモーション情報の提示部を操作して、プロモーション情報を視聴する指示をする場合に備えて、プロモーション情報の提示部のアイコンとリンク先ＵＲＩおよびリンク先媒体を対応付けておく（ステップＳ２５７）。ステップＳ２５６で有効期限外であれば、ステップＳ２５７は実行されない。また、その時点でアクセス情報は消去しても良い。対応付けられているアクセス情報ＵＲＩ数に応じてステップＳ２５４からステップＳ２５７の処理は続けられる。全てのアクセス情報で処理を終了させれば、処理を終了する。
【０１１０】
図１６は、本発明の実施の形態１におけるテレビジョン受信機１００による番組内容画面の第一の実施例を示す図である。テレビジョン受信機１００の制御部１１１は、ユーザがリモコンなどを用いて、番組内容の表示の指示があったときこの画面を表示する。
【０１１１】
番組内容表示画面３４１には、視聴中の番組を縮小表示した画面３４２と、該当する番組の（この例ではクラッシックコンサート）詳細な内容の表示画面と、該当する番組のプロモーション情報を示すアイコンが含まれる。ユーザは、操作ガイド３０２の記述に基づいてカーソル３４３を操作してアイコンを選択決定し、該当する番組のプロモーション情報を見ることもできる。
【０１１２】
図１７は、本発明の実施の形態１におけるテレビジョン受信機１００による番組内容画面の第二の実施例を示す図である。テレビジョン受信機１００の制御部１１１は、ユーザがリモコンなどを用いて、番組内容の表示の指示があったときこの画面を表示する。
【０１１３】
番組内容表示画面３３１には、番組表画面と、該当する番組のプロモーション情報を示すアイコンを持つウインドウ３３２が含まれる。ウインドウ３３２内には、該当する番組の詳細な内容の記述が含まれていても良い。ユーザは、カーソル３３３を操作してアイコンを選択決定し、該当する番組のプロモーション情報を見ることもできる。
【０１１４】
以上のように本発明の実施の形態１におけるテレビジョン受信機は、番組を提供する事業者が、プロモーション情報として用意する番組のプレビューや有名評論家の評論情報やランキング情報を、番組表内で番組に対応させてアイコンやリストを用いて提示することができる。また、表示する番組表はアクセス情報を用いて、プロモーション情報別に並び替えることもできる。
【０１１５】
その結果、番組を提供する事業者には、テレビジョン画面上で効率よく番組を宣伝する手段を提供することが実現できる。視聴者は、簡単に番組表からプロモーション情報を検索可能であり、プロモーション情報を見て簡単に視聴／購入番組を選択することができる。
【産業上の利用可能性】
【０１１６】
本発明にかかるテレビジョン受信機は、番組を提供する事業者には、テレビジョン画面上で効率よく番組を宣伝する手段を提供することが実現できる効果と、視聴者は、簡単に番組表からプロモーション情報を検索可能であり、プロモーション情報を見て簡単に視聴／購入番組を選択する効果とを有し、テレビジョン受信機、セットトップボックス、パーソナルコンピュータ、携帯電話機等として有用である。
【図面の簡単な説明】
【０１１７】
【図１】本発明の実施の形態１におけるテレビジョン受信機を含むシステムの構成を示す図
【図２】本発明の実施の形態１におけるテレビジョン受信機の構成を示すブロック図
【図３】本発明の番組表情報記憶部およびアクセス情報記憶部記憶されるデータを示す図
【図４】本発明の実施の形態１におけるテレビジョン受信機による番組表情報とアクセス情報を作成し記憶する処理を示すフローチャート
【図５】本発明の実施の形態１におけるテレビジョン受信機によるプロモーション情報の提示を含む番組表を作成し表示する処理を示すフローチャート
【図６】本発明の実施の形態１におけるテレビジョン受信機によるプロモーション情報を表示する処理を示すフローチャート
【図７】本発明の実施の形態１におけるテレビジョン受信機によるプロモーション情報の提示を含む番組表の表示画面の第一の実施例を示す図
【図８】本発明の実施の形態１におけるテレビジョン受信機によるプロモーション情報の提示を含む番組表の表示画面の第二の実施例を示す図
【図９】本発明の実施の形態１におけるテレビジョン受信機によるプレビュー情報の表示画面の実施例を示す図
【図１０】本発明の実施の形態１におけるテレビジョン受信機による評論情報の表示画面の実施例を示す図
【図１１】本発明の実施の形態１におけるテレビジョン受信機によるランキング情報の表示画面の実施例を示す図
【図１２】本発明の実施の形態１におけるテレビジョン受信機によるアクセス情報を用いて番組表の並び替え表示する処理を示すフローチャート
【図１３】本発明の実施の形態１におけるテレビジョン受信機による番組表を並び替えるため、あるいは番組を検索するための条件として用いるプロモーション情報を、ユーザに選択させるための表示画面の実施例を示す図
【図１４】本発明の実施の形態１におけるテレビジョン受信機による並び替えた番組表あるいは検索結果を表示する画面の実施例を示す図
【図１５】本発明の実施の形態１におけるテレビジョン受信機によるプロモーション情報の提示を含む番組内容を表示する処理を示すフローチャート
【図１６】本発明の実施の形態１におけるテレビジョン受信機による番組内容画面の第一の実施例を示す図
【図１７】本発明の実施の形態１におけるテレビジョン受信機による番組内容画面の第二の実施例を示す図
【符号の説明】
【０１１８】
１    番組提供装置
２    放送局装置
３、１００    テレビジョン受信機
４    通信網
５    プロモーション情報サーバ
６    情報サーバ
１０１    チューナ
１０２    分離部
１０３    デコーダ
１０４    ＯＳＤ処理部
１０５    合成部
１０６    表示部
１１１    制御部
１１２    通信部
１１３    入力部
１１４    番組表情報記憶部
１１５    アクセス情報記憶部
１１６    ビットマップ記憶部
１１７    蓄積デバイス
１１８    アクセス情報書式記憶部
【図１】
2005130075.tif 000003
【図２】
2005130075.tif 000004
【図３】
2005130075.tif 000005
【図４】
2005130075.tif 000006
【図５】
2005130075.tif 000007
【図６】
2005130075.tif 000008
【図７】
2005130075.tif 000009
【図８】
2005130075.tif 000010
【図９】
2005130075.tif 000011
【図１０】
2005130075.tif 000012
【図１１】
2005130075.tif 000013
【図１２】
2005130075.tif 000014
【図１３】
2005130075.tif 000015
【図１４】
2005130075.tif 000016
【図１５】
2005130075.tif 000017
【図１６】
2005130075.tif 000018
【図１７】
2005130075.tif 000019